(57)【要約】【課題】自動調光システムにおいて、人が長時間滞在する場所で検出したときは点灯保持時間を長くして消灯する虞を少なくし、人が短時間しか滞在しない場所で検出したときは点灯保持時間を短くすることにより人が不在時の点灯時間を短くし、省エネルギ化を図る。【解決手段】自動調光システム１は、照明器具２１と、点灯保持時間をカウントするタイマ３１と、入口近傍に設けられた人感センサ４ａと、便器６１の近傍に設けられた人感センサ４ｂと、制御部２３とを備えている。人感センサ４ａ及び４ｂは人体を検出すると検出信号と共にアドレス信号を出力する。制御部２３は、人感センサ４ａ及び４ｂから検出信号を受けると照明器具２１を点灯させ、アドレス信号毎に定められた点灯保持時間の間、点灯させる。アドレスに応じた点灯保持時間を設定することができるので、照明器具を不必要に点灯させることが少なくなり、照明電力の省エネルギ化を図ることができる。【選択図】図３
2009266605.tif 000002
【特許請求の範囲】
【請求項１】
光源を有する照明器具と、人体の存在を検出し検出信号を出力する複数の人感センサと、前記人感センサからの検出信号に応じて前記照明器具を点灯させる点灯保持時間をカウントするタイマと、前記人感センサの検出信号と前記タイマのカウント時間に基づいて前記照明器具を点灯制御する制御部と、を備えた自動調光システムにおいて、
前記人感センサは、前記検出信号と共に該人感センサを識別するアドレス信号を前記制御部に出力し、
前記制御部は、前記アドレス信号毎に定められた点灯保持時間を前記タイマにカウントさせ、前記照明器具を点灯させることを特徴とする自動調光システム。
【請求項２】
前記照明器具はトイレ内に設置され、
前記人感センサは前記トイレの入口近傍と便器近傍とに設けられ、
前記入口近傍の人感センサが人を検出したときと、前記便器近傍の人感センサが人を検出したときとで、前記点灯保持時間を変えることができることを特徴とする請求項１に記載の自動調光システム。
【請求項３】
前記トイレの入口近傍に設けられた人感センサは、該トイレに入退室する人体の動線に沿って入口側とトイレ内側のそれぞれに設けられ、
前記制御部は、前記入口側の人感センサが人体を検出した後に前記トイレ内側の人感センサが人体を検出した場合に人がトイレに入室したと判断し、前記トイレ内側の人感センサが人体を検出した後に前記入口側の人感センサが人体を検出した場合に人がトイレから退室したと判断してトイレ内の人数を演算し、
トイレ内に人が居ないと判断したときに前記照明器具を消灯又は調光状態にすることを特徴とする請求項２に記載の自動調光システム。
【請求項４】
前記照明器具は事務室内に設置され、
前記人感センサは前記事務室の入口近傍と室内とに設けられ、
前記入口近傍の人感センサが人を検出したときと、前記室内の人感センサが人を検出したときとで、前記点灯保持時間を変えることができることを特徴とする請求項１に記載の自動調光システム。
【請求項５】
前記事務室の入口近傍に設けられた人感センサは、該事務室に入退室する人体の動線に沿って入口側と事務室内側のそれぞれに設けられ、
前記制御部は、前記入口側の人感センサが人体を検出した後に前記事務室内側の人感センサが人体を検出した場合に人が事務室に入室したと判断し、前記事務室内側の人感センサが人体を検出した後に前記入口側の人感センサが人体を検出した場合に人が事務室から退室したと判断して事務室内の人数を演算し、
事務室内に人が居ないと判断したときに前記照明器具を消灯又は調光状態にすることを特徴とする請求項４に記載の自動調光システム。
【発明の詳細な説明】
【技術分野】
【０００１】
本発明は、人の存在を検出して照明器具を点灯する自動調光システムに関する。
【背景技術】
【０００２】
従来から、人の存在を人感センサで検出し、人が居るときのみ自動的に照明器具を点灯できるようにした自動調光システムが知られている。このような自動調光システムにおいては、人を検出して照明器具を点灯させた後に、人が存在しているにも拘らず検出ミスをして消灯する虞がある。このために、人を検出しなくなった後の一定時間、点灯を保持し、保持している間に再び人を検出することにより消灯しないようにしている。この点灯を保持する時間を本明細書では点灯保持時間という。しかしながら、この点灯保持時間を短く設定すると、人が存在しているにも拘らず検出ミスを起こして消灯する虞が高くなり、点灯保持時間を長く設定すると人が居なくなってからも点灯を保持するので、照明電力のエネルギロスが大きい。
【０００３】
また、このような自動調光システムにおいては、人の出入りが多い場所で人の出入りの度に点灯／消灯を行なうと人に不快感を与えるので、人の検出間隔が短い場合には点灯保持時間を長くし、人の検出間隔が長い場合には点灯保持時間を短くすることにより点灯保持時間を調整する照明制御装置が知られている（例えば特許文献１参照）。図１７はこのような照明制御装置の構成を示す。照明制御装置１０１は、照明器具１２１と、人を検出する人体検出センサ部１０４と、点灯保持時間をカウントするタイマ部１３１と、人を検出した検出時刻を記憶するメモリ部１３２と、検出信号等に基づいて照明器具１２１の点灯／調光を制御する制御部１２３と、照明器具１２１に点灯／調光信号を出力する信号出力部１２４を備えている。
【０００４】
表１は上記装置における検出間隔と点灯保持時間の関係を示す。制御部１２３は、人体検出センサ部１０４によって人を検出したとき、前回の検出からの検出間隔が短いと点灯保持時間を長くして照明器具１２１を点灯させ、検出間隔が長いと点灯保持時間を短くして照明器具１２１を点灯させることにより点灯保持時間を調整する。
【表１】
2009266605.tif 000003
【０００５】
しかしながら、特許文献１に示されるような照明制御装置においては、人の検出位置に拘らずに点灯保持時間が決められる。しかし、例えばトイレでは、洗面所での滞在時間は短く、便器使用時の滞在時間は長いというように場所によって滞在時間が異なり、このような場所では、消灯を防ぐために点灯保持時間を滞在時間の長い方に合わさなければならないので、照明電力のエネルギロスが大きい。
【特許文献１】特開平７−３１２２９５号公報
【発明の開示】
【発明が解決しようとする課題】
【０００６】
本発明は、上記問題を解消するものであり、人が長時間滞在する場所で人を検出したときは点灯保持時間を長くして消灯する虞を少なくし、また、人が短時間しか滞在しない場所で人を検出したときは点灯保持時間を短くすることにより人が不在時の点灯時間を短くし、省エネルギ化を図ることができる自動調光システムを提供することを目的とする。
【課題を解決するための手段】
【０００７】
上記目的を達成するために請求項１の発明は、光源を有する照明器具と、人体の存在を検出し検出信号を出力する複数の人感センサと、前記人感センサからの検出信号に応じて前記照明器具を点灯させる点灯保持時間をカウントするタイマと、前記人感センサの検出信号と前記タイマのカウント時間に基づいて前記照明器具を点灯制御する制御部と、を備えた自動調光システムにおいて、前記人感センサは、前記検出信号と共に該人感センサを識別するアドレス信号を前記制御部に出力し、前記制御部は、前記アドレス信号毎に定められた点灯保持時間を前記タイマにカウントさせ、前記照明器具を点灯させるものである。
【０００８】
請求項２の発明は、請求項１に記載の自動調光システムにおいて、前記照明器具はトイレ内に設置され、前記人感センサは前記トイレの入口近傍と便器近傍とに設けられ、前記入口近傍の人感センサが人を検出したときと、前記便器近傍の人感センサが人を検出したときとで、前記点灯保持時間を変えることができるものである。
【０００９】
請求項３の発明は、請求項２に記載の自動調光システムにおいて、前記トイレの入口近傍に設けられた人感センサは、該トイレに入退室する人体の動線に沿って入口側とトイレ内側のそれぞれに設けられ、前記制御部は、前記入口側の人感センサが人体を検出した後に前記トイレ内側の人感センサが人体を検出した場合に人がトイレに入室したと判断し、前記トイレ内側の人感センサが人体を検出した後に前記入口側の人感センサが人体を検出した場合に人がトイレから退室したと判断してトイレ内の人数を演算し、トイレ内に人が居ないと判断したときに前記照明器具を消灯又は調光状態にするものである。
【００１０】
請求項４の発明は、請求項１に記載の自動調光システムにおいて、前記照明器具は事務室内に設置され、前記人感センサは前記事務室の入口近傍と室内とに設けられ、前記入口近傍の人感センサが人を検出したときと、前記室内の人感センサが人を検出したときとで、前記点灯保持時間を変えることができるものである。
【００１１】
請求項５の発明は、請求項４に記載の自動調光システムにおいて、前記事務室の入口近傍に設けられた人感センサは、該事務室に入退室する人体の動線に沿って入口側と事務室内側のそれぞれに設けられ、前記制御部は、前記入口側の人感センサが人体を検出した後に前記事務室内側の人感センサが人体を検出した場合に人が事務室に入室したと判断し、前記事務室内側の人感センサが人体を検出した後に前記入口側の人感センサが人体を検出した場合に人が事務室から退室したと判断して事務室内の人数を演算し、事務室内に人が居ないと判断したときに前記照明器具を消灯又は調光状態にするものである。
【発明の効果】
【００１２】
請求項１の発明によれば、人感センサのアドレスに応じた点灯保持時間を設定することができるので、人が長時間滞在する場所で人を検出したときには点灯保持時間を長くして消灯する虞を少なくし、人が短時間しか滞在しない場所で人を検出したときには点灯保持時間を短くすることにより照明器具の不必要な点灯を少なくすることが可能となり、照明電力の省エネルギ化を図ることができる。
【００１３】
請求項２の発明によれば、トイレにおいてユーザが便器を使用した場合には点灯保持時間を長くして消灯する虞を少なくし、また、入口近傍だけに立ち寄った場合には点灯保持時間を短くすることにより照明器具の不必要な点灯を少なくすることが可能となり、照明電力の省エネルギ化を図ることができる。
【００１４】
請求項３の発明によれば、トイレ内にユーザが居なくなると直ぐに消灯又は調光状態にすることができるので、トイレの照明電力の更なる省エネルギ化を図ることができる。
【００１５】
請求項４の発明によれば、事務室においてユーザが室内に入った場合には点灯保持時間を長くして消灯する虞を少なくし、また、入口近傍だけに立ち寄った場合には点灯保持時間を短くすることにより照明器具の不必要な点灯を少なくすることが可能となり、照明電力の省エネルギ化を図ることができる。
【００１６】
請求項５の発明によれば、事務室内にユーザが居なくなると直ぐに消灯又は調光状態にすることができるので、事務室の照明電力の更なる省エネルギ化を図ることができる。
【発明を実施するための最良の形態】
【００１７】
（第１の実施形態）
本発明の第１の実施形態に係る自動調光システムについて図１乃至図３を参照して説明する。図１は本実施形態に係る自動調光システムが配置されたトイレの平面視を、図２はトイレの側面視を、図３は自動調光システムの構成を示す。自動調光システム１はトイレの照明に設置され、トイレには、洗面所と便所の領域があり、便所には小便器と大便器が配されている。洗面所と便所には、それぞれの領域を照明する照明器具２１が配されている。自動調光システム１は、照明器具２１を有する照明部２と、照明器具２１の点灯保持時間をカウントするタイマ３１を有するカウンタ部３と、人体の存在を検出し検出信号を出力する人感センサ４ａを有するセンサ部５と、便器６１と人感センサ４ｂとを有する便器部６を備えている。人感センサ４ｂは、便器６１に配してもよいし、壁等に配してもよい。人感センサ４ａと人感センサ４ｂを総称する場合は人感センサ４と記す。
【００１８】
人感センサ４は、例えば人体の体温により発生する赤外線の変化量を感知して人体の移動を検出する赤外線センサや、超音波や赤外線を出力し人体に反射して戻ってくるまでの時間から人体の存在や距離を検出する距離センサ等である。人感センサ４に、検出範囲を広くするためのレンズを配してもよい。照明部２は、照明器具２１を点灯させる回路が形成させた点灯回路２２と、人感センサ４からの検出信号とタイマ３１のカウント時間に基づいて照明器具２１の点灯を制御する制御部２３と、外部との信号の送受信を行なう通信部２４とを有している。照明器具２１はトイレ内の洗面所と便所のそれぞれに設けられている。
【００１９】
カウンタ部３は、タイマ３１がカウントしたカウント時間を照明部２に送信する通信部３２を有している。人感センサ４は、人体の存在を検出した検出信号と共に各人感センサ４を識別するアドレス信号を出力する。センサ部５は、トイレの入口近傍に配されており、人感センサ４ａからの検出信号を照明部２に送信する通信部５１を有している。便器部６は、便器６１と、便器６１の動作を制御する便器制御部６２と、人感センサ４ｂと、人感センサ４ｂからの検出信号を照明部２に送信する通信部６３とを有している。便器６１が小便器の場合には、便器制御部６２は人感センサ４ｂの検出信号に応じて洗浄水を流し、便器６１が大便器の場合には、便器制御部６２は人感センサ４ｂの検出信号に応じて便座の保温、便器蓋の開閉、及び洗浄水の流出を行なう。また、制御部２３と便器部６等との通信は有線でも無線でもよい。
【００２０】
人感センサ４は、検出信号の出力電圧を変えることによりアドレス信号としている。例えば、センサ部５に配された人感センサ４ａの出力電圧は１Ｖで、小便器の人感センサ４ｂは３Ｖで、大便器の人感センサ４ｂは５Ｖである。また、アドレス信号をデジタル化して送信してもよい。制御部２３は人感センサ４から人の検出信号を受けると照明器具２１を点灯させ、人感センサ４のアドレス信号毎に定められた点灯保持時間の間、点灯させる。表２はアドレス毎の点灯保持時間を示し、センサ部の人感センサ４ａの点灯保持時間Ｘは１０秒であり、小便器の人感センサ４ｂの点灯保持時間Ｙ１は６０秒であり、大便器の人感センサ４ｂの点灯保持時間Ｙ２は１２０秒である。
【表２】
2009266605.tif 000004
【００２１】
次に、自動調光システム１の動作について図４（ａ）乃至（ｃ）を参照して説明する。図４（ａ）は自動調光システムのメインの動作フローを、図４（ｂ）は小便器の人感センサ４ｂが人を検出したときの動作フローを、図４（ｃ）は大便器の人感センサ４ｂが人を検出したときの動作フローをそれぞれ示す。制御部２３は、センサ部５の人感センサ４ａが人を検出すると（ステップＳ１、Ｓ１と略記、以下同様）、洗面所と便所の照明をオンにする（Ｓ２、Ｓ３）。続いて、制御部２３は、タイマ３１のカウント時間ｔを０に初期化して点灯保持時間のカウントを開始する（Ｓ４）。
【００２２】
カウント中に小便器、大便器及びセンサ部５の人感センサ４が人を検出せずにカウント時間ｔが人感センサ４ａの点灯保持時間Ｘである１０秒を超えると（Ｓ８）、洗面所と便所の照明をオフにする（Ｓ９）。カウント時間ｔのカウント中にセンサ部５の人感センサ４ａが人を検出すると（Ｓ７）、制御部２３はタイマ３１のカウントを０に初期化して、カウント時間ｔのカウントを再開始する（Ｓ４）。このように、人感センサ４ａでの人の検出が続く限り点灯を保持し、人の検出が終了すると１０秒間、点灯を保持する。
【００２３】
カウント時間ｔのカウント中に小便器の人感センサ４ｂが人を検出すると（Ｓ５）、図４（ｂ）の動作フローへ移行する。制御部２３は、タイマ３１のカウント時間ｔを０に初期化してカウントを開始する（Ｓ１１）。カウント時間ｔのカウント中に小便器の人感センサ４ｂが人を検出すると（Ｓ１２）、Ｓ１１へ戻り、制御部２３はタイマ３１のカウント時間を０に初期化して、カウントを再開始する。カウント中に小便器の人感センサ４ｂが人を検出せずに、カウント時間ｔが小便器の点灯保持時間Ｙ１の６０秒を超えると、図４（ａ）の動作フローのＳ４へ戻る（Ｓ１３）。
【００２４】
図４（ａ）の動作フローでのカウント時間ｔのカウント中に大便器の人感センサ４ｂが人を検出すると（Ｓ６）、図４（ｃ）の動作フローへ移行する。制御部２３は、タイマ３１のカウント時間ｔを０に初期化してカウントを開始する（Ｓ２１）。カウント時間ｔのカウント中に大便器の人感センサ４ｂが人を検出すると（Ｓ２２）、Ｓ２１へ戻り、制御部２３はタイマ３１のカウント時間を０に初期化して、カウントを再開始する。カウント中に大便器の人感センサ４ｂが人を検出せずに、カウント時間ｔが点灯保持時間Ｙ２の１２０秒を超えると、図４（ａ）の動作フローのＳ４へ戻る（Ｓ２３）。
【００２５】
自動調光システム１の動作例について図５及び図６を参照して説明する。図５は一人のユーザがトイレに入った場合の動作を時系列的に示す。ユーザがトイレの入口に入りセンサ部５の人感センサ４ａに検出されると（図５（ａ）参照）、洗面所と便所の照明器具２１が点灯する（図５（ｂ）参照）。続いて、ユーザが小便器の人感センサ４ｂに検出されると、点灯保持時間が１０秒から６０秒に変更される（図５（ｃ）参照）。ユーザが小便器から離れ（図５（ｄ）参照）、小便器の人感センサ４ｂから検出されなくなった後も照明器具２１は点灯保持時間の６０秒間は点灯を保持する（図５（ｅ）参照）。続いて、照明器具２１は、点灯保持時間Ｘの１０秒間点灯した後、消灯する（図５（ｆ）参照）。
【００２６】
図６は２人のユーザがトイレに入った場合の動作を示す。ユーザがトイレの入口に入りセンサ部５の人感センサ４ａに検出されると（図６（ａ）参照）、洗面所と便所の照明器具２１が点灯する（図６（ｂ）参照）。続いて、ユーザの一人が小便器の人感センサ４ｂに検出され、他の一人が大便器の人感センサ４ｂに検出されて点灯保持時間が延長される（図６（ｃ）参照）。このとき、図４（ａ）の動作フローでは小便器での人感センサ４ｂの検出有無の判断が大便器での検出有無の判断よりも先に行なわれるので、点灯保持時間は小便器でのＹ１の６０秒間とされ、小便器の人感センサ４ｂに人が検出される度に点灯保持時間が更新される。ユーザの一人が小便器から離れても、他の一人が大便器の人感センサ４ｂに検出されているので、照明器具２１は点灯を保持する（図６（ｄ）参照）。ユーザが大便器から離れ、人感センサ４ｂから検出されなくなった後も大便器での点灯保持時間Ｙ２の１２０秒間、照明器具２１は点灯を保持する（図６（ｅ）参照）。続いて、照明器具２１は、点灯保持時間Ｘの１０秒間点灯した後、消灯する（図６（ｆ）参照）。
【００２７】
このように、人感センサのアドレスに応じた点灯保持時間を設定することができるので、人が長時間滞在する場所で人を検出したときには点灯保持時間を長くして消灯する虞を少なくし、人が短時間しか滞在しない場所で人を検出したときには点灯保持時間を短くすることにより照明器具の不必要な点灯を少なくすることが可能となり、照明電力の省エネルギ化を図ることができる。トイレにおいては、ユーザが便器を使用した場合には点灯保持時間を長くして消灯する虞を少なくし、また、入口付近だけに立ち寄った場合には点灯保持時間を短くすることができる。ユーザが入口付近だけに立ち寄った場合に照明器具を不必要に長時間点灯させることを防止することが可能となり、トイレの照明電力の省エネルギ化を図ることができる。また、点灯保持時間経過後に、消灯せずに調光状態にするようなことや、照度センサを設置し、外光によって明るいときには照明器具を点灯しないというような一般化している制御方法を融合してもよい。
【００２８】
（第２の実施形態）
本発明の第２の実施形態に係る自動調光システムについて図７乃至図９を参照して説明する。図７は本実施形態に係る自動調光システムが配置されたトイレの平面視を、図８はトイレの側面視を、図９は自動調光システムの構成を示す。自動調光システム１は第１の実施形態と異なり、人感センサ４ａを入口近傍に２台備え、２台の人感センサ４ａの出力信号に基づいて入退室する人数を演算し、トイレ内の人数に基づいて照明器具を点灯する。自動調光システム１は、トイレの入口近傍において、入退室するユーザの動線に沿って入口側に配したセンサ部５ａ１と、トイレ内側である洗面所に配したセンサ部５ａ２を備えている。センサ部５ａ１は人感センサ４ａ１を、センサ部５ａ２は人感センサ４ａ２を有している。また、カウンタ部３は、人感センサ４ａ１、４ａ２の検出信号に基づいてトイレ内の人数を演算する人数演算部３３を有している。
【００２９】
次に、自動調光システム１の動作について図１０乃至図１３を参照して説明する。図１０は自動調光システム１のメインの動作フローを、図１１（ａ）（ｂ）は、人数演算部３３が変数Ｎを増減する動作フローを、図１２（ａ）は、小便器の人感センサ４ｂが人を検出した場合の割り込み処理の動作フローを、図１２（ｂ）は、大便器の人感センサ４ｂが人を検出した場合の割り込み処理の動作フローを、図１３は一人のユーザがトイレに入った場合の自動調光システム１の動作を時系列的に示す。図１０に示すように、最初に制御部２３はトイレ内の人数を表す変数Ｎを０に初期化する（Ｓ３１）。変数Ｎは、人感センサ４ａ１、４ａ２の検出信号に基づいて人数演算部３３によって増減される。
【００３０】
次に、人数演算部３３が変数Ｎを増減する動作フローを、図１１（ａ）を参照して説明する。人数演算部３３は、人感センサ４ａ１が人を検出すると（Ｓ４１）、人感センサ４ａ１の検出時刻よりも所定時間前の間に人感センサ４ａ２が人を検出していたかを判断する（Ｓ４２）。人感センサ４ａ２が人を検出していた場合には、人が人感センサ４ａ２の検出箇所を通過してから人感センサ４ａ１の検出箇所を通過してトイレから退室したとして、変数Ｎを１、減らす（Ｓ４３）。人感センサ４ａ２が人を検出していない場合には、人感センサ４ａ１での検出が終了するまで待機し（Ｓ４４）、人感センサ４ａ１での検出が終了すると、その終了時刻から所定時間経過するまでの間に人感センサ４ａ２が人を検出するかを判断する（Ｓ４５）。人感センサ４ａ２が人を検出した場合には、人が人感センサ４ａ１の検出箇所を通過してから４ａ２の検出箇所を通過してトイレに入室したとして、変数Ｎを１、増やす（Ｓ４６）。人感センサ４ａ２が人を検出しない場合には、人が人感センサ４ａ１の検出箇所に入った後、入口から退室したとして変数Ｎをそのままにして人数の演算処理を終了する。
【００３１】
上述した図１１（ａ）の動作フローは、人感センサ４ａ１での検出を起点として人数の演算処理を行なったが、図１１（ｂ）の動作フローは、人感センサ４ａ２での検出を起点として人数の演算処理を行なう動作を示す。図１１（ｂ）の動作フローでは、図１１（ａ）と同様の動作によって演算処理を行なう。図１１（ａ）と図１１（ｂ）とのどちらの動作フローを用いてもよい。
【００３２】
次に、図１０の動作フローに戻り、制御部２３が変数Ｎを０に初期化した後の動作について説明する。制御部２３は、変数Ｎを監視しており、変数Ｎが１以上になると（Ｓ３２）、カウント時間ｔを０に初期化し（Ｓ３３）、カウント時間ｔのカウントを開始すると共に洗面所と便所の照明をオンにする（Ｓ３４、３５）。洗面所と便所の照明をオンにした後、カウント時間が人感センサ４ａの点灯保持時間Ｘの１０秒に達すると（Ｓ３６）、洗面所の照明はオンのままで便所の照明をオフにする（Ｓ３７）。その後、変数Ｎの監視を続け、変数Ｎが０になると（Ｓ３８）、洗面所の照明をオフにし（Ｓ３９）、Ｓ３２に戻り、変数Ｎが１以上になるのを監視する。
【００３３】
上述した図１０の動作フローのいずれの段階においても、小便器、又は大便器の人感センサ４ｂが人を検出すると割り込み処理を行なって照明器具２１を点灯させる。図１２（ａ）に示すように、制御部２３は、小便器の人感センサ４ｂが人を検出すると（Ｓ６１）、洗面所と便所の照明器具２１をオンにする（Ｓ６２、６３）。続いて、タイマ３１のカウントを０に初期化して（Ｓ６４）、カウント時間ｔのカウントを開始する。時間ｔのカウント中に小便器の人感センサ４ｂが人を検出すると（Ｓ６５）、制御部２３は、タイマ３１のカウントを０に初期化して、時間ｔのカウントを再開始する（Ｓ６４）。カウント中に小便器の人感センサ４ｂが人を検出せずに、カウント時間ｔが点灯保持時間Ｙ１である６０秒を超えると（Ｓ６６）、図１０の動作フローのＳ３７へ戻って便所の照明をオフにし、変数Ｎが０になると洗面所の照明をオフにする。
【００３４】
制御部２３は、図１２（ｂ）に示すように、大便器の人感センサ４ｂが人を検出すると図１２（ａ）と同様にして、洗面所と便所の照明器具２１をオンにし、点灯保持時間Ｙ２である１２０秒間、点灯を保持する。大便器の人感センサ４ｂが人を検出した場合の割り込み処理の優先順位を小便器における割り込み処理よりも高くしておけば、小便器における割り込み処理を実施している場合においても、大便器の人感センサ４ｂが人を検出すると、大便器における割り込み処理を行なうことができる。点灯保持時間が長い方の優先順位を高くしているので、人が存在しているのに消灯する虞が少なくなる。
【００３５】
次に、一人のユーザがトイレに入った場合の自動調光システム１の動作について図１３を参照して説明する。ユーザがトイレの入口に入り人感センサ４ａ１、４ａ２の順に検出されると（図１３（ａ）参照）、変数Ｎが１となり洗面所と便所の照明器具２１が点灯する（図１３（ｂ）参照）。続いて、ユーザが小便器の人感センサ４ｂに検出されると、点灯保持時間が１０秒から６０秒に変更される（図１３（ｃ）参照）。ユーザが小便器から離れ、小便器の人感センサ４ｂから検出されなくなった後も点灯保持時間Ｙ１の６０秒間は点灯を保持した後便所の照明をオフにする（図１３（ｄ）参照）。続いて、ユーザが人感センサ４ａ２、４ａ１の順に検出されると（図１３（ｅ）参照）変数Ｎが０となり、洗面所の照明が消灯する（図１３（ｆ）参照）。
【００３６】
このように、トイレ内のユーザの人数を演算し、トイレ内のユーザが居なくなると直ぐに消灯することができるので、更に照明電力の省エネルギ化を図ることができる。また、人感センサ４の誤検出等により、人が居ないにも拘らずに変数Ｎが１以上であるために点灯を続ける虞があるので、変数Ｎが１以上であってもいずれの人感センサ４もが、例えば２０秒以上人を検出しない場合には消灯するようにしてもよい。誤点灯を防ぎ省エネルギ化を図ることができる。
【００３７】
（第３の実施形態）
本発明の第３の実施形態に係る自動調光システムについて図１４乃至図１６を参照して説明する。自動調光システム１は第１、第２の実施形態と異なり、事務室に配設されている。図１４は事務室の平面視を、図１５は事務室の側面視を、図１６は自動調光システムの構成を示す。事務室の入口近傍において、入口側に複数の人感センサ４ａ１が列状に設けられ、事務室内側に人感センサ４ａ２が列状に設けられている。事務室内には机と座席からなる複数の座席部７が設けられ、座席部７には人感センサ４ｃと照度センサ４ｄが配されている。人感センサ４ｃは座席のユーザの存在を検出し、照度センサＳｄは座席の照度を検出する。人感センサ４ｃと照度センサ４ｄは、それぞれ通信部６１を介して制御部２３へ検出信号を出力する。
【００３８】
制御部２３は、第２の実施形態と同様に、人感センサ４ａ１と人感センサ４ａ２の検出信号に基づいて、事務室内のユーザの人数を演算し、事務室内の人数を表す変数Ｎが１以上になると点灯保持時間を例えば１０秒にして事務室内の照明をオンにする。そして、ユーザが座席に座り人感センサ４ｃが人を検出すると、点灯保持時間を例えば１２０秒に延長する。このとき、照度センサ４ｄの検出信号に基づいて、点灯の強度を調整してもよい。ユーザが事務室より退室し、変数Ｎが０になると、制御部２３は直ちに照明をオフにする。
【００３９】
このように、事務室においてユーザが室内に入った場合には点灯保持時間を長くして消灯する虞を少なくし、入口近傍だけに立ち寄った場合には点灯保持時間を短くすることができるので、ユーザが入口近傍だけに立ち寄った場合に照明器具を不必要に長時間点灯させることを防止することが可能となり、事務室の照明電力の省エネルギ化を図ることができる。また、事務室内のユーザが居なくなると直ぐに消灯することができるので、さらに事務室の照明の省エネルギ化を図ることができる。制御部２３は、変数Ｎが１以上であっても、人感センサ４ｃが人を検出していない座席の近傍の照明を調光状態にするようにしてもよい。さらに、省エネルギ化を図ることができる。また、照度センサ４ｄは必要に応じて設置すればよく、設置しなくても本発明による省エネルギ化を図ることができる。
【００４０】
なお、本発明は、上記各種実施形態の構成に限られず、発明の趣旨を変更しない範囲で種々の変形が可能である。例えば、上記ではカウンタ部を独立して設けたが、照明部に組み込んでもよい。これにより自動調光システムの構造が簡単になり低コストになる。
【図面の簡単な説明】
【００４１】
【図１】本発明の第１の実施形態に係る自動調光システムが設置されたトイレの平面図。
【図２】同自動調光システムが設置されたトイレの側面図。
【図３】同自動調光システムの構成図。
【図４】（ａ）は同自動調光システムのメインの動作のフロー図、（ｂ）は小便器の人感センサが人を検出したときの動作のフロー図、（ｃ）は大便器の人感センサが人を検出したときの動作のフロー図。
【図５】（ａ）乃至（ｆ）は一人のユーザがトイレに入ったときの同自動調光システムの動作を時系列的に示す図。
【図６】（ａ）乃至（ｆ）は２人のユーザがトイレに入ったときの同自動調光システムの動作を時系列的に示す図。
【図７】本発明の第２の実施形態に係る自動調光システムが設置されたトイレの平面図。
【図８】同自動調光システムが設置されたトイレの側面図。
【図９】同自動調光システムの構成図。
【図１０】同自動調光システムのメインの動作のフロー図。
【図１１】（ａ）及び（ｂ）はトイレ内の人数を演算するときの同自動調光システムの動作のフロー図。
【図１２】（ａ）は同自動調光システムにおいて小便器の人感センサが人を検出したときの動作のフロー図、（ｂ）は大便器の人感センサが人を検出したときの動作のフロー図。
【図１３】（ａ）乃至（ｆ）は一人のユーザがトイレに入ったときの同自動調光システムの動作を時系列的に示す図。
【図１４】本発明の第３の実施形態に係る自動調光システムが設置された事務室の平面図。
【図１５】同自動調光システムが設置された事務室の側面図。
【図１６】同自動調光システムの構成図。
【図１７】従来の照明制御装置の構成図。
【符号の説明】
【００４２】
１  自動調光システム
２１  照明器具
２３  制御部
３１  タイマ
４、４ａ、４ａ１、４ａ２、４ｂ、４ｃ  人感センサ
６１  便器
【図１】
2009266605.tif 000005
【図２】
2009266605.tif 000006
【図３】
2009266605.tif 000007
【図４】
2009266605.tif 000008
【図５】
2009266605.tif 000009
【図６】
2009266605.tif 000010
【図７】
2009266605.tif 000011
【図８】
2009266605.tif 000012
【図９】
2009266605.tif 000013
【図１０】
2009266605.tif 000014
【図１１】
2009266605.tif 000015
【図１２】
2009266605.tif 000016
【図１３】
2009266605.tif 000017
【図１４】
2009266605.tif 000018
【図１５】
2009266605.tif 000019
【図１６】
2009266605.tif 000020
【図１７】
2009266605.tif 000021